(57)【要約】  本発明は、防曇性ゴーグルに関連しており、同様に、使用中にゴーグルの曇りをとる方法及び防曇性ゴーグルを製造する方法にも関連している。さらに、空気をレンズの方へ向け、かつゴーグルを着用している人の目から遠ざける方法及び装置も記載されている。【選択図】  図１
2010500123.tif 000002
【特許請求の範囲】
【請求項１】
フレーム底部及び上部を有するフレームに囲まれている少なくとも１つのレンズを具備するゴーグルであって、
前記フレームの上部及び底部のうちの１つは、少なくとも１つの通気孔を具備し、
前記フレームの前記底部は、前記レンズの曇りを減らすのに十分な量の空気を前記レンズの方へ向ける少なくとも１つのエアーフローチャネルを具備する、ゴーグル。
【請求項２】
前記フレームの前記上部は、少なくとも１つの通気孔を具備し、
前記フレームの前記底部は、使用中に前記レンズの曇りを減らすのに十分な量の空気を前記レンズの方へ向ける少なくとも１つのエアーフローチャネルを具備する、請求項１に記載のゴーグル。
【請求項３】
使用中に前記ゴーグルを適切な位置に維持する手段は、伸縮性のストラップである、ことをさらに具備する請求項２に記載のゴーグル。
【請求項４】
使用中に前記ゴーグルを適切な位置に維持する前記手段は、伸縮性のストラップである、請求項３に記載のゴーグル。
【請求項５】
前記少なくとも１つのレンズは、前記フレームによって完全に囲まれている、請求項２に記載のゴーグル。
【請求項６】
使用中に曇りを実質上除去するために、十分な空気が前記レンズの方へ向けられる、請求項２に記載のゴーグル。
【請求項７】
前記少なくとも１つのエアーフローチャネルは、およそ１０度からおよそ４５度の間で空気をレンズの方へ向ける、請求項２に記載のゴーグル。
【請求項８】
前記少なくとも１つのエアーフローチャネルは、前記フレームの前記底部に一体化して組み込まれている、請求項２に記載のゴーグル。
【請求項９】
前記フレームの前記底部は、前記少なくとも１つのエアーフローチャネルを有する少なくとも１つのエアーフローインサートを具備する、請求項２に記載のゴーグル。
【請求項１０】
前記少なくとも１つのレンズは、ＵＶ保護を具備する、請求項２に記載のゴーグル。
【請求項１１】
前記少なくとも１つのレンズは、薄く色をつけられている、請求項２に記載のゴーグル。
【請求項１２】
底部及び上部を有するフレームに囲まれている少なくとも１つのレンズを具備するゴーグルを製造する鋳型であって、
前記フレームの前記上部は、少なくとも１つの通気孔を具備し、
前記フレームの前記底部は、使用中に曇りを減らすのに十分な量の空気を前記レンズの方へ向ける少なくとも１つのエアーフローチャネルを具備する、鋳型。
【請求項１３】
底部及び上部を有するフレームに囲まれている少なくとも１つのレンズを具備するゴーグルを製造する工程であって、
前記フレームの前記上部は、少なくとも１つの通気孔を具備し、
前記フレームの前記底部は、使用中に曇りを減らすのに十分な量の空気を前記レンズの方へ向ける少なくとも１つのエアーフローチャネルを具備する、請求項１２に記載の鋳型を用いることを具備する、工程。
【請求項１４】
前記工程は、射出成形工程である、請求項１３に記載の工程。
【請求項１５】
底部及び上部を有するフレームに囲まれている少なくとも１つのレンズを具備するゴーグルを製造する方法であって、
前記方法は、前記エアーフローチャネルが使用中に前記レンズの曇りを減らす十分な量の空気を前記レンズの方へ向けるように、少なくとも１つのエアーフローチャネルを有しているエアーフローインサートを前記フレームの前記底部に取り付けることを含む、方法。
【請求項１６】
底部及び上部を有するフレームに囲まれている少なくとも１つのレンズを具備するゴーグルを製造する方法であって、
前記方法は、前記エアーフローチャネルが使用中に前記レンズの曇りを減らす十分な量の空気を前記レンズの方へ向けるように、少なくとも１つのエアーフローチャネルを前記フレームの前記底部に取り付けることを含む、方法。
【請求項１７】
使用中にゴーグルの曇りをとる方法であって、
初めに、前記レンズの曇りを減らす十分な量の空気を前記レンズの方へ向けることと、
空気が実質上前記レンズに平行に流れるように、空気の方向を変えることと、
前記ゴーグルにある通気孔を通して空気を排出することと、を具備する方法。
【請求項１８】
使用中に前記レンズの曇りを実質上除去するために、十分な前記空気が前記レンズの方へ向けられる、請求項１７に記載の方法。
【請求項１９】
フレーム底部及び上部を有するフレームに囲まれている少なくとも１つのレンズを具備するゴーグルであって、
前記フレームの上部及び底部のうちの１つは、少なくとも１つの通気孔を具備し、
前記フレームの底部は、空気を前記レンズの方へ向け、かつ前記ゴーグルを着用している人の目から遠ざける、少なくとも１つのエアーフローチャネルを具備する、ゴーグル。
【請求項２０】
使用中にゴーグル内のエアーフローを誘導する(channel)方法であって、
初めに、前記レンズの曇りを減らす十分な量の空気を前記レンズの方へ向けることと、
前記空気が実質上前記レンズに平行に流れるように、かつ前記ゴーグルを着用している人の目から遠ざかるように、前記空気の方向を変えることと、
前記ゴーグルにある通気孔を通して前記空気を排出することと、を具備する方法。
【発明の詳細な説明】
【技術分野】
【０００１】
本発明は、一般的に、底部及び上部を有するフレームに囲まれている少なくとも１つのレンズを有する、防曇性ゴーグルに関連しており、フレームの上部は少なくとも１つの通気孔を有し、フレームの底部は、使用中に曇りを減らすのに十分な量の空気をレンズの方へ向ける少なくとも１つのエアーフローチャネルを有し、同様に、このようなゴーグルを製造する方法及びゴーグルの曇りをとる方法に関連している。このようなゴーグルは、例えば、使用中にゴーグルのレンズの曇りをとったり、同時に、ユーザーの目をダメージまたは有害なエアーフローから保護したりするような、改良された特性及び特質を持つ。
【背景技術】
【０００２】
ゴーグル（主に、スキーまたはスノーボード用のゴーグルのようなスポーツ用ゴーグル）のレンズは、使用中及び活動中にレンズ内部に結露（曇り）をためてしまう強い傾向がある。十分な空気の循環がないと、曇りは晴れず、使用中のユーザーの視界をそこなう。
【０００３】
スポーツ用ゴーグルにおけるエアーフローは制御されていない。一度十分な空気が底部の通気孔を通って入ると、通風が生じ、一般的に、エアーフローは、底部（底部の通気孔）から起こり、ゴーグルの内部空間（顔とレンズとの間の領域）を満たし、上部（上部の通気孔）から出ていく。
【０００４】
このような制御されていないエアーフローシステムには欠点がある。例えば、ユーザーの目に制御されていないエアーフローが入ると、多くの場合、目を乾燥させたり、目に涙がたまったり、またはその他の症状を引き起こしたりし、それら全ては使用中の視界に悪影響を及ぼす。しばしば、非常に早いスピードで移動するユーザーによってゴーグルが着用されるとすると、視界に悪影響を及ぼすこのような問題は、きわめて危険になりうる。それゆえ、当業界において、安全な防曇性ゴーグルが必要である。
【０００５】
従って、本発明の一様態は、レンズにおける曇りの量を減らすことができ、同時に、従来技術のゴーグルが持つ前述した問題を処理または克服することができるゴーグルである。
【発明の概要】
【０００６】
本発明は、底部及び上部を有するフレームに囲まれている少なくとも１つのレンズを有するゴーグルに関連しており、フレームの上部は少なくとも１つの通気孔を有し、フレームの底部は、使用中に曇りを減らすのに十分な量、好ましくは曇りを実質上除去するのに十分な量の空気をレンズの方へ向ける少なくとも１つのエアーフローチャネルを有する。
【０００７】
さらに、本発明は、底部及び上部を有するフレームに囲まれている少なくとも１つのレンズを有するゴーグルを製造する鋳型に関連しており、フレームの上部は少なくとも１つの通気孔を有し、フレームの底部は、使用中に曇りを減らすのに十分な量、好ましくは曇りを実質上除去するのに十分な量の空気をレンズの方へ向ける少なくとも１つのエアーフローチャネルを有する。
【０００８】
本発明は、底部及び上部を有するフレームに囲まれている少なくとも１つのレンズを有するゴーグルを製造する工程、好ましくは射出成形工程、にも関連しており、フレームの上部は少なくとも１つの通気孔を有し、フレームの底部は、使用中に曇りを減らすのに十分な量、好ましくは曇りを実質上除去するのに十分な量の空気をレンズの方へ向ける少なくとも１つのエアーフローチャネルを有し、上記工程は上述の鋳型を用いることを含む。
【０００９】
さらに、本発明は、使用中にゴーグルの曇りをとる方法に関連しており、曇りを減らすのに十分な量、好ましくは曇りを実質上除去するのに十分な量の空気をレンズの方へ向けることを含む。
【００１０】
本発明は、底部及び上部を有するフレームに囲まれている少なくとも１つのレンズを有するゴーグルを製造する方法にも関連しており、上記方法は、エアーフローチャネルが、使用中に曇りを減らすのに十分な量、好ましくは曇りを実質上除去するのに十分な量の空気をレンズの方へ向けるように、少なくとも１つのエアーフローチャネルを有する少なくとも１つのエアーフローインサートをフレームの底部に取り付けることを含む。
【００１１】
さらに、本発明は、底部及び上部を有するフレームに囲まれている少なくとも１つのレンズを有するゴーグルを製造する方法に関連しており、上記方法は、エアーフローチャネルが使用中に曇りを減らすのに十分な量、好ましくは曇りを実質上除去するのに十分な量の空気をレンズの方へ向けるように、少なくとも１つのエアーフローチャネルをフレームの底部に取り付けることを含む。同時に、空気を誘導する(direct)エアーフローチャネルは、ゴーグルを着用している人の目にかかるエアーフローを実質的に減らすかまたは除去するので、レンズの曇りをとると同時に、目にとって快適である。
【００１２】
当然のことながら、上記の一般的な記述及び以下の詳細な説明はただ単に典型的かつ説明的なものであり、本発明を限定するものではない。
【図面の簡単な説明】
【００１３】
【図１】本発明による防曇性ゴーグルの正面図である。
【図２】本発明による防曇性ゴーグルの左側面図である。
【図３】本発明による防曇性ゴーグルを、より低いほうから見た正面図である。
【図４】本発明による防曇性ゴーグルの上面及び正面図である。
【図５】本発明による防曇性ゴーグルの底面図である。
【発明を実施するための形態】
【００１４】
本明細書で用いられている、“少なくとも１つ”という表現は、１つ以上を意味しているので、混合物／組み合わせと同様に個々の構成要素も含む。
【００１５】
本発明の構成及び方法は、本明細書で説明されているいずれの付加的またはオプションの材料、構成要素、または制限、もしくはアイウェアに見られるその他の有益な材料または構成要素と同様に、本明細書で説明されている本発明に不可欠な要素及び制限を具備、含有、または本質的に含むことができる。
【００１６】
本発明の実施形態によると、ゴーグルは、底部及び上部を有するフレームに囲まれている少なくとも１つのレンズを有し、フレームの上部は少なくとも１つの通気孔を有し、フレームの底部は、使用中に曇りを減らすのに十分な量の空気をレンズの方へ向ける少なくとも１つのエアーフローチャネルを有する。これらのゴーグルは、いずれの目的でも使用できる。好ましくは、ゴーグルは、スポーツに関連した活動、例えば、スキー（ダウンヒルまたはクロスカントリー）、スケート（特にスピードスケート）、スカイダイビング、スノーボード、スキージャンプ、オートバイなどに用いられる。
【００１７】
好ましい実施形態に従って、ゴーグル１は少なくとも１つのレンズ２を有する。一般的に、レンズの数は、ゴーグルのフレームの構造による。フレーム構造３は、１枚のレンズを使用するのが好ましい。しかしながら、フレーム構造３は、２枚以上のレンズを使用するのも可能である。例えば、フレーム構造は、ユーザーの視界をおよそ半分に分けるユーザーの鼻にあるブリッジに平行してかかる構造要素を持つ。このような構造の一方側には第１のレンズがある。このような構造のもう１つの側には第２のレンズがある。このような分岐した構造は、例えば、もしレンズが処方レンズ(prescription lenses)であり、ユーザーの目が異なる処方を必要とするときなどに有益である。
【００１８】
好ましい実施形態によると、少なくとも１つのレンズ２は、透過性材質を含むか、または透過性材質で作られている。透過性材質は、すなわち、ユーザーが楽々と見通せるような材質である。少なくとも１つのレンズは、透き通り、薄く色をつけられ、コーティングされ、ＵＶ保護（紫外線からの保護）を施され、アイウェアのレンズが改造されうる範囲でいずれかの方法で改造されている。このようなレンズに適切な材質は、眼鏡、サングラス、ゴーグルのようなアイウェアのレンズに用いられることが可能ないずれの材質を含むが、これに限定されるものではない。少なくとも１つのレンズは、硬いプラスチック材質を含むか、または硬いプラスチック材質で作られているのが好ましい。
【００１９】
本発明によると、フレーム３は底部４及び上部６を有する。フレーム３の“底部”４は、フレームに水平な中央線より下方の部分である。同様に、フレーム３の“上部”６は、フレームに水平な中央線より上方の部分である。また、当然のことながら、ゴーグルの“上”部及び“底”部とは、ゴーグルが人の目線より下方に底部があるように着用されるとき及び目線より上方に上部があるように着用されるときに定義される部分である。少なくとも１つのレンズ２は、フレームに囲まれており、好ましくは、少なくとも１つのレンズは、フレームによって完全に囲まれている。フレームと少なくとも１つのレンズとが共にあることによって、ゴーグルの内部空間８（すなわち、顔と、フレームに囲まれているレンズとの間の領域）ができる。好ましい実施形態によると、フレーム３の上部６は、少なくとも１つの通気孔１０を有し、空気はそこを通ってゴーグルの内部空間から外へ出ていく。
【００２０】
本発明に従って、フレームの底部は、使用中に曇りを減らすのに十分な量（すなわち、結露を減らすのに十分な量）の空気をレンズの方へ向ける少なくとも１つのエアーフローチャネル１２を有する。フレーム３の底部４には、１つまたは複数（例えば、２、３、４、５、１０、２０つなど）のエアーフローチャネル１２がある。さらに、エアーフローチャネル１２は、どんなサイズまたは形状（例えば、四角形、円形、長方形など）でも可能である。当然のことながら、使用中に十分な空気がレンズの方へ向かうようにするため、エアーフローチャネル１２の数はエアーフローチャネルのサイズ及び形状による。例えば、エアーチャネルが大きくなれば、所望のエアーフロー量を達成するために必要なエアーチャネル数はおそらく減少する。同様に、エアーチャネルが小さくなれば、より多くのエアーチャネルが必要になる。特に好ましい実施形態によると、少なくとも１つのエアーフローチャネル１２は、使用中に曇りを実質上除去するのに十分な量（すなわち、見える結露がないようにレンズ上の結露を減らすのに十分な量）の空気をレンズ２の方へ向ける。
【００２１】
本発明によると、少なくとも１つのエアーフローチャネル１２からのエアーフローは、主にレンズ２に沿って（かつユーザーの目からは遠ざかり）、エアーフローがゴーグルの内部空間８から出ていく場所であるフレームの上部にある少なくとも１つの通気孔１０に到達するまで、移動する。特に好ましい実施形態において、ゴーグルの内部空間８に入る実質上全てのエアーフローは、エアーフローチャネルによってレンズ２の方へ向けられる。エアーフローをレンズの方へ向けることによって、ゴーグルを着用している人の目にかかるエアーフローは実質上減少するかまたは回避される。このため、効果的にゴーグルのレンズの曇りをとることができ、より快適になる。
【００２２】
好ましい実施形態によると、エアーフローは、およそ５度から５０度の間、より好ましくは１０度から４５度、にあるエアーフローチャネルによってレンズへ向けられ、角度は、レンズの表面と、エアーフローチャネルからのエアーフローとの間で測定される。当然のことながら、個々のエアーフローチャネルは、同じ角度または異なる角度で空気をレンズの方へ向ける。
【００２３】
当然のことながら、本発明に従って、曇りを減らすのに十分な量のエアーフロー、好ましくは曇りを実質上除去するのに十分な量のエアーフロー、をレンズに提供するのであれば、エアーフローチャネルをフレームの上部に移動させ、通気孔をフレームの底部に移動させることによってエアーフローを逆向きにすることも可能である。このような実施形態は、空気がフレームの上部からフレームの底部に移動するように空気の方向を変えるため、ゴーグルの上部にスクープまたはその他のタイプの付属装置が必要である。
【００２４】
本発明の一実施形態によると、エアーフローチャネル１２は、フレーム３の底部４に一体化して組み込まれている。すなわち、エアーフローチャネル１２は、フレーム構造の一部である。この実施形態に従って、エアーフローチャネルはフレームの底部４と共に製造されるのが好ましい。例えば、フレームの底部を製造するために用いられる鋳型は、フレームの底部が製造されるのと同時にエアーフローチャネルが製造されるために必要な部材を有する。代替として、エアーフローチャネルは後ほど製造されることも可能である。例えば、エアーフローチャネルを作るためにフレーム３の底部４に穴をあけることによって、エアーフローチャネルを、あらかじめ製造されたフレームの底部に取り付けることができる。
【００２５】
他の実施形態によると、エアーフローチャネルは、エアーフローチャネルの底部４に一体化して組み込まれていない。この実施形態によると、エアーフローチャネルは、少なくとも１つのエアーフローチャネル１２を有する少なくとも１つのエアーフローインサート１４をフレームの底部４に取り付けることによって、あらかじめ製造されたフレームの底部に取り付けられるのが好ましい。フレームの底部には、１つまたは複数（例えば、２、３、４、５、１０、２０つなど）のエアーフローインサート１４があり、エアーフローインサートには、個々に、１つまたは複数（例えば、２、３、４、５、１０、２０つなど）のエアーフローチャネルインサート１４がある。さらに、エアーフローインサートは、どんなサイズまたは形状（例えば、四角形、円形、長方形など）でも可能である。このようなエアーフローインサートは、本発明のエアーフローチャネルを持つ現行のゴーグルに新部品を追加導入するのに特に役立ち、これによって、あらかじめ製造されたゴーグルは、本発明によってもたらされる曇り除去及び安全性便益を備えることができる。
【００２６】
好ましい実施形態によると、本発明のゴーグルは、ゴーグルを使用中に適切な位置に維持する手段もさらに有する。ゴーグルを使用中に適切な位置に維持するために、例えば、ゴーグルに伸縮性のストラップを取り付ける、ヘルメットにゴーグルを組み込む、吸引(suction)、接着など、いずれかの適した手段を用いることが可能である。
【００２７】
本発明の他の実施形態によると、底部及び上部を有するフレームに囲まれている少なくとも１つのレンズ２を有するゴーグルを製造するための鋳型が提供されており、フレームの上部は、少なくとも１つの通気孔１０を有し、フレーム３の底部４は、使用中に曇りを減らすのに十分な量の空気をレンズの方へ向ける少なくとも１つのエアーフローチャネル１２を有する。すなわち、本発明のゴーグルを製造するための鋳型が提供されている。このような鋳型は、本発明のゴーグルが公知の射出成形技術で製造されるように、射出成形工程で用いられるのが好ましい。
【００２８】
本発明のさらなる実施形態によると、底部４及び上部６を有するフレーム３に囲まれている少なくとも１つのレンズ２を有し、このようなゴーグルのための鋳型を用いることを含むゴーグルを製造する方法が提供されており、フレームの上部６は少なくとも１つの通気孔１０を有し、フレームの底部４は、使用中に曇りを減らすのに十分な量の空気をレンズの方へ向ける少なくとも１つのエアーフローチャネル１２を有する。このような工程は、射出成形工程であるのが好ましい。
【００２９】
本発明のさらに他の実施形態によると、使用中に曇りを減らすのに十分な量の空気をレンズの方へ向けることを含む、ゴーグルの曇りをとる方法が提供されている。レンズの方へ向けられる空気量は、曇りを実質上除去するのに十分であるのが好ましい。
【００３０】
本発明のさらなる実施形態によると、底部及び上部を有するフレームに囲まれている少なくとも１つのレンズを有するゴーグルを製造する方法が提供されており、上記方法は、エアーフローチャネルが、使用中に曇りを減らすのに十分な量の空気をレンズの方へ向けるように、少なくとも１つのエアーフローチャネルを有する少なくとも１つのエアーフローインサートをフレームの底部に取り付けることを含む。
【００３１】
本発明のさらに他の実施形態によると、底部及び上部を有するフレームに囲まれている少なくとも１つのレンズを有するゴーグルを製造する方法が提供されており、上記方法は、エアーフローチャネルが、使用中に曇りを減らすのに十分な量の空気をレンズの方へ向けるように、少なくとも１つのエアーフローチャネルをフレームの底部に取り付けることを含む。
【００３２】
別段述べられていなければ、当然のことながら、本明細書及び請求項で用いられている全ての数字は、“およそ”という用語によって全ての場合において変更される。それゆえ、反対のことが述べられていなければ、明細書及び従属する請求項において明らかにされている数値パラメータは、本発明によって得られようとする所望の特性によって変化する近似値である。
【００３３】
本発明の広範囲を説明する数値域及び数値パラメータは近似値であるが、具体例において説明されている数値は可能な限り正確に報告されている。しかしながら、本質的にいずれの数値も、各々の測定値に見られる標準偏差に起因する一定のエラーを必ず含む。
【００３４】
上記の記述に関して、当然のことながら、本発明の複数の部品に対する最適な寸法の関連性は、サイズ、材質、形、形状、機能、及び操作方法、アセンブリ及び用途における変化を含むが、当業者にとって容易に明らかであり自明であると考えられ、さらに、図面に示され、明細書において説明されているこれらに対する全ての同等の関連性は、本発明によって包含されていることが意図されていることが理解されるべきである。
【００３５】
それゆえ、前述した内容は、本発明の原理のみを例示するものである。さらに、数多くの修正及び変更は当業者にとって容易に考慮されるので、本発明において示され説明されている正確な構造及び操作を限定するものではなく、従って、全ての適した修正及び同等物は本発明の適用範囲内で行われる。例として、フレームの底部及び上部以外の端部に通気孔及びエアーフローチャネルを置くことができる。この点について、底部に少なくとも１つの通気孔を有し、上部にエアーチャネルがあるというように特許性があるように設けられ得るが、エアーチャネルに関して対向する側部部分が代わりに利用されることができる。エアーフローがエアーフローチャネルから事実上レンズの方へと向かい、フローが実質上レンズに平行であれば、曇りをとる効果が生じるので、これらの変更は本明細書の請求項の範囲内である。さらに、チャネルフロー及び制御インサートはフレーム内に形成されている開口部に挿入されるかまたはフレーム内の開口部に一体化して形成される。
【図１】
2010500123.tif 000003
【図２】
2010500123.tif 000004
【図３】
2010500123.tif 000005
【図４】
2010500123.tif 000006
【図５】
2010500123.tif 000007
【国際調査報告】
2010500123.tif 000008